(57)【要約】　　　（修正有）【課題】何らの切替機構／操作なしに、パワー操作時にはマニュアル操作環に回転を与えず、マニュアル操作時にはモータを回転させないようにする。【解決手段】マニュアル操作環１９；回転駆動時レンズ鏡筒内の光学要素を光軸方向に進退させる駆動環１８；カメラボディ側の駆動機構によって回転駆動される第一の入力回転軸２１；アウタギヤ２２ａを有し、第一の入力回転軸に嵌められた第一の筒状出力ギヤ；アウタギヤ３１ａを有し、固定筒に光軸と平行方向に回転自在に支持された第二の入力回転軸３１；アウタギヤ３２ａを有し、第二の入力回転軸に嵌められた第二の筒状出力ギヤ；及び第一入力回転軸と第一筒状出力ギヤとの間、及び第二入力回転軸と第二筒状出力ギヤとの間にそれぞれ介在された、入力回転軸の回転を筒状出力ギヤに伝達し、筒状出力ギヤの回転は入力回転軸に伝達しない一対の一方向入出力回転伝達機構２０，３０を備える。【選択図】　図３
2004145038.tif 000002
【特許請求の範囲】
【請求項１】
レンズ鏡筒の固定筒に、回転操作可能に支持されたマニュアル操作環；
上記固定筒に回転可能に支持され、回転駆動されるとレンズ鏡筒内の光学要素を光軸方向に進退させる駆動環；
上記固定筒に、光軸と平行な方向に向けて回転自在に支持され、カメラボディ側の駆動機構の駆動力を受けて回転駆動される第一の入力回転軸；
上記駆動環を駆動するギヤ列に噛み合うアウタギヤを有し、この第一の入力回転軸に嵌められた第一の筒状出力ギヤ；
上記マニュアル操作環を駆動するギヤ列に噛み合うアウタギヤを有し、上記固定筒に光軸と平行な方向に向けて回転自在に支持された第二の入力回転軸；
上記駆動環を駆動するギヤ列に噛み合うアウタギヤを有し、この第二の入力回転軸に嵌められた第二の筒状出力ギヤ；及び
上記第一入力回転軸と第一筒状出力ギヤとの間、及び上記第二入力回転軸と第二筒状出力ギヤとの間にそれぞれ介在された、入力回転軸の回転を筒状出力ギヤに伝達し、筒状出力ギヤの回転は入力回転軸に伝達しない一対の一方向入出力回転伝達機構；
を有することを特徴とするパワーマニュアル両用レンズ鏡筒。
【請求項２】
請求項１記載のパワーマニュアル両用レンズ鏡筒において、上記一方向入出力回転伝達機構は、
上記入力回転軸に、その軸線に直交させて形成した軸方向直交面；
上記筒状出力ギヤに形成した、上記入力回転軸を相対回転自在に嵌合させる内面円筒面；
上記入力回転軸に、上記軸方向直交面に隣接させて形成した、筒状出力回転ギヤの上記内面円筒面との間に不等幅のボール挿入空間を形成する非円形断面部；
上記ボール挿入空間に挿入したボール；及び
このボールと軸方向直交面とに接触圧力を与える付勢手段；
を備え、
上記非円形断面部は、入力回転軸に回転が与えられたとき上記軸方向直交面によって回転が与えられるボールを介して筒状出力ギヤに回転を与える形状をなしているパワーマニュアル両用レンズ鏡筒。
【請求項３】
請求項１記載のパワーマニュアル両用レンズ鏡筒において、上記一方向入出力回転伝達機構は、
上記入力回転軸に形成した軸線に対して直交する第一の軸方向直交面；
上記筒状出力ギヤに形成した、上記入力回転軸を相対回転自在に嵌合させる内面円筒面；
上記入力回転軸を回転自在に支持する固定筒の軸受部材に一体に、上記第一の軸方向直交面に対向させて形成された、軸線に対して直交する第二の軸方向直交面；
上記入力回転軸に、第一の軸方向直交面に隣接させてかつ第二の軸方向直交面との間に位置させて形成した、筒状出力ギヤの上記内面円筒面との間に不等幅のボール挿入空間を形成する非円形断面部；
上記ボール挿入空間に挿入したボール；及び
上記第一、第二の軸方向直交面の間隔が狭くなるように入力回転軸を軸線方向に付勢し、上記ボールを第一、第二の軸方向直交面に押圧接触させる付勢手段；を備え、
上記非円形断面部は、入力回転軸に回転が与えられたとき上記軸方向直交面によって回転が与えられるボールを介して筒状出力回転軸に回転を与える形状をなしているパワーマニュアル両用レンズ鏡筒。
【請求項４】
請求項２または３記載のパワーマニュアル両用レンズ鏡筒において、上記非円形断面部は、入力回転軸の半径方向に直交する少なくとも一つの面を備えた非円形断面部からなっているパワーマニュアル両用レンズ鏡筒。
【請求項５】
請求項４記載のパワーマニュアル両用レンズ鏡筒において、上記非円形断面部の断面形状は、多角形であるパワーマニュアル両用レンズ鏡筒。
【請求項６】
請求項２または３記載のパワーマニュアル両用レンズ鏡筒において、非円形断面部は、入力回転軸の半径方向に関して対称な少なくとも一対の傾斜面を備えた非円形断面部からなっているパワーマニュアル両用レンズ鏡筒。
【請求項７】
請求項１ないし６のいずれか１項記載のパワーマニュアル両用レンズ鏡筒において、上記マニュアル操作環はフォーカス操作環であり、上記光学要素は、焦点調節レンズ群であるパワーマニュアル両用レンズ鏡筒。
【請求項８】
請求項１ないし６のいずれか１項記載のパワーマニュアル両用レンズ鏡筒において、上記マニュアル操作環はズーム操作環であり、上記光学要素は、焦点距離変更レンズ群であるパワーマニュアル両用レンズ鏡筒。
【発明の詳細な説明】
【０００１】
【技術分野】
本発明は、パワー操作とマニュアル操作が可能な両用レンズ鏡筒に関する。
【０００２】
【従来技術及びその問題点】
例えば、ＡＦ一眼レフ用の交換レンズでは、カメラボディ側のモータによって、該交換レンズに回転自在に支持されている入力回転軸（ＡＦ回転軸）を回転させ、その回転力で焦点調節レンズ（光学要素）を光軸方向に駆動している。また、マニュアルフォーカスを可能とするため、マニュアル操作環が回転自在に支持されており、マニュアル操作環の回転によっても焦点調節レンズを光軸方向に移動可能としている。
【０００３】
このようなパワーマニュアル両用レンズ鏡筒では、マニュアル操作環を回転操作するときには、その回転が入力回転軸に伝わらないようにする何らかの切替機構とその切替操作を不可欠としていた。
【０００４】
ズーム操作をパワーとマニュアルで切り替えて行うパワーズームレンズ鏡筒においても同様である。
【０００５】
【発明の目的】
本発明は、何らの切替機構及び切替操作を要することなく、入力回転軸にパワー駆動の回転力が与えられたときにはマニュアル操作環を回転させることなく光学要素を光軸方向に移動させ、一方マニュアル操作環が回転操作されたときにはその回転が入力回転軸に伝達されない、つまりモータを回転させないパワーマニュアル両用レンズ鏡筒を得ることを目的とする。
【０００６】
【発明の概要】
本発明によるパワーマニュアル両用レンズ鏡筒は、レンズ鏡筒の固定筒に、回転操作可能に支持されたマニュアル操作環；固定筒に回転可能に支持され、回転駆動されるとレンズ鏡筒内の光学要素を光軸方向に進退させる駆動環；固定筒に、光軸と平行な方向に向けて回転自在に支持され、カメラボディ側の駆動機構の駆動力を受けて回転駆動される第一の入力回転軸；駆動環を駆動するギヤ列に噛み合うアウタギヤを有し、この第一の入力回転軸に嵌められた第一の筒状出力ギヤ；マニュアル操作環を駆動するギヤ列に噛み合うアウタギヤを有し、固定筒に光軸と平行な方向に向けて回転自在に支持された第二の入力回転軸；駆動環を駆動するギヤ列に噛み合うアウタギヤを有し、この第二の入力回転軸に嵌められた第二の筒状出力ギヤ；及び第一入力回転軸と第一筒状出力ギヤとの間、及び上記第二入力回転軸と第二筒状出力ギヤとの間にそれぞれ介在された、入力回転軸の回転を筒状出力ギヤに伝達し、筒状出力ギヤの回転は入力回転軸に伝達しない一対の一方向入出力回転伝達機構；を有することを特徴としている。
【０００７】
一方向入出力回転伝達機構は、少なくとも、入力回転軸に、その軸線に直交させて形成した軸方向直交面；筒状出力ギヤに形成した、入力回転軸を相対回転自在に嵌合させる内面円筒面；入力回転軸に、軸方向直交面に隣接させて形成した、筒状出力回転ギヤの上記内面円筒面との間に不等幅のボール挿入空間を形成する非円形断面部；ボール挿入空間に挿入したボール；及びこのボールと軸方向直交面とに接触圧力を与える付勢手段；を備え、非円形断面部は、入力回転軸に回転が与えられたとき上記軸方向直交面によって回転が与えられるボールを介して筒状出力ギヤに回転を与える形状をなしている機構で構成できる。
【０００８】
一方向入出力回転伝達機構は、別の表現によると、入力回転軸に形成した軸線に対して直交する第一の軸方向直交面；筒状出力ギヤに形成した、入力回転軸を相対回転自在に嵌合させる内面円筒面；入力回転軸を回転自在に支持する固定筒の軸受部材に一体に、第一の軸方向直交面に対向させて形成された、軸線に対して直交する第二の軸方向直交面；入力回転軸に、第一の軸方向直交面に隣接させてかつ第二の軸方向直交面との間に位置させて形成した、筒状出力ギヤの上記内面円筒面との間に不等幅のボール挿入空間を形成する非円形断面部；ボール挿入空間に挿入したボール；及び第一、第二の軸方向直交面の間隔が狭くなるように入力回転軸を軸線方向に付勢し、上記ボールを第一、第二の軸方向直交面に押圧接触させる付勢手段；を備え、非円形断面部は、入力回転軸に回転が与えられたとき軸方向直交面によって回転が与えられるボールを介して筒状出力回転軸に回転を与える形状をなしていることを特徴としている。
【０００９】
非円形断面部は、例えば入力回転軸の半径方向に直交する少なくとも一つの面を備えた非円形断面部から構成することができる。また、非円形断面部は、多角形の断面形状とし、あるいは、入力回転軸の半径方向に関して対称な少なくとも一対の傾斜面を備えた非円形断面部から構成してもよい。
マニュアル操作環は、具体的には例えばフォーカス操作環であり、光学要素は、焦点調節レンズ群である。また、マニュアル操作環はズーム操作環とすることもでき、このとき光学要素は、焦点距離変更レンズ群である。
【００１０】
【発明の実施形態】
図は、本発明をＡＦレンズ鏡筒１０に適用した実施形態である。図１、図２に示すように、カメラボディに着脱されるマウント環（固定筒）１１には、固定ねじ１２、１３を介して別の内側固定筒１４、１５が固定されている。内側固定筒１５には、フォーカス群移動筒１６がヘリコイド１５ａ、１６ａを介して螺合しており、フォーカス群移動筒１６には、フォーカスレンズ群Ｌ１を固定した１群枠１７が固定されている。
【００１１】
内側固定筒１４には、その内周面に、駆動環１８が光軸方向位置を規制して回転自在に支持されている。この駆動環１８の内面には、光軸と平行な方向の回転伝達溝１８ａが形成されており、この回転伝達溝１８ａに、フォーカス群移動筒１６に形成した径方向の回転伝達突起１６ｂが嵌まっている。従って、駆動環１８に回転が与えられると、その回転が回転伝達溝１８ａと回転伝達突起１６ｂを介してフォーカス群移動筒１６に伝達され、フォーカス群移動筒１６（１群枠１７、フォーカスレンズ群Ｌ１）はヘリコイド１５ａ、１６ａに従って回転しながら光軸方向に進退する。図では、フォーカスレンズ群Ｌ１以外のレンズの図示を省略している。
【００１２】
マウント環１１には、駆動環１８の後方に、フォーカス操作環（マニュアル操作環）１９が光軸方向位置を規制して回転のみ可能に支持されている。また、マウント環１１の後端マウント面１１ａに形成した軸受穴１１ｂと、内側固定筒１４の外方フランジ１４ａに形成した軸受穴１４ｂとの間には、光軸と平行な軸線を有する入力回転軸２１が支持されている。この入力回転軸２１の後端面には、マウント面１１ａに臨む回転伝達溝２１ａが形成されている。周知のように、このＡＦレンズ鏡筒１０をカメラボディに正規に装着すると、入力回転軸２１（回転伝達溝２１ａ）がボディ内の駆動機構に連動する。
【００１３】
本実施形態は、入力回転軸２１に回転が与えられたときには、その回転を駆動環１８に伝達してフォーカス群移動筒１６（１群枠１７、フォーカスレンズ群Ｌ１）を光軸方向に進退させる一方で、フォーカス操作環１９は回転させず、フォーカス操作環１９に回転が与えられたときには、その回転を同様に駆動環１８に伝達する一方、入力回転軸２１には伝達しない機構を特徴としている。以下図３ないし図５も参照してその詳細を説明する。
【００１４】
駆動環１８の後端部内周面とフォーカス操作環１９の前端部内周面とにはそれぞれ、インナギヤ１８ｇと１９ｇとが形成されている。そして、マウント環１１の後端マウント面１１ａと内側固定筒１４の外方フランジ１４ａとの間には、二つの一方向入出力回転伝達機構２０と３０が支持されている。一方向入出力回転伝達機構２０は、上述の（第一の）入力回転軸２１と、この入力回転軸２１に嵌められた（第一の）筒状出力ギヤ２２とを有していて、筒状出力ギヤ２２には、インナギヤ１８ｇに噛み合うアウタギヤ２２ａが形成されている。一方向入出力回転伝達機構２０は、入力回転軸２１の回転を筒状出力ギヤ２２に伝達する一方、筒状出力ギヤ２２の回転は入力回転軸２１に伝達しない。
【００１５】
一方向入出力回転伝達機構３０は、基本的構成は、一方向入出力回転伝達機構２０と同じであり、後端マウント面１１ａの軸受穴１１ｃと外方フランジ１４ａの軸受穴１４ｃとの間に回転自在に支持された（第二の）入力回転軸３１と、この入力回転軸３１に嵌められた（第二の）筒状出力ギヤ３２とを有していて、入力回転軸３１には、フォーカス操作環１９のインナギヤ１９ｇに噛み合うアウタギヤ３１ａが形成されている。また、筒状出力ギヤ３２には、駆動環１８のインナギヤ１８ｇに噛み合うアウタギヤ３２ａが形成されている。一方向入出力回転伝達機構３０は、入力回転軸３１の回転を筒状出力ギヤ３２に伝達する一方、筒状出力ギヤ３２の回転は入力回転軸３１に伝達しない。
【００１６】
一方向入出力回転伝達機構２０と３０の相違は、一方向入出力回転伝達機構２０では入力回転軸２１に対する回転力が回転伝達溝２１ａ（カメラボディ内駆動機構）を介して与えられるのに対し、一方向入出力回転伝達機構３０では入力回転軸３１に対する回転力がフォーカス操作環１９（インナギヤ１９ｇとアウタギヤ３１ａ）を介して与えられる点であり、この他は実質的に同じ構造である。一方向入出力回転伝達機構２０と３０はこの他は実質的に同じ構造であるので、纏めて説明する。図５は、一方向入出力回転伝達機構２０のみを分解して描いたものである。
【００１７】
入力回転軸２１は、その中間部に外方フランジ２１ｂを有し、この外方フランジ２１ｂの外方フランジ１４ａ側に、筒状出力ギヤ２２の内面円筒面２２ｂに相対回転自在に嵌まる筒状部２１ｃ、非円形断面部としての偏平な四角柱状部２１ｄ、及び軸受穴１４ｂに嵌まる支持端部２１ｅを有している。
【００１８】
入力回転軸３１は、その中間部に上述のアウタギヤ３１ａを有し、このアウタギヤ３１ａの外方フランジ１４ａ側に、筒状出力ギヤ３２の内面円筒面３２ｂに相対回転自在に嵌まる筒状部３１ｃ、非円形断面部としての偏平な四角柱状部３１ｄ、及び軸受穴１４ｃに嵌まる支持端部３１ｅを有している。
【００１９】
筒状部２１ｃ（３１ｃ）の四角柱状部２１ｄ（３１ｄ）側の端面は、軸方向直交面２１ｆ（３１ｆ）を構成している。四角柱状部２１ｄ（３１ｄ）は、入力回転軸２１（３１）の軸２１Ｘ（３１Ｘ）方向から見たとき軸２１Ｘ（３１Ｘ）を中心とする正四角形をなしていて、その外面四面は、入力回転軸２１（３１）の半径方向に対して直交するボール接触面２１ｇ（３１ｇ）を構成している。軸方向直交面２１ｆ（３１ｆ）は第一の軸方向直交面であり、外方フランジ１４ａは、この第一の軸方向直交面に対向する第二の軸方向直交面である。
【００２０】
筒状出力ギヤ２２（３２）の内面円筒面２２ｂ（３２ｂ）は、軸方向直交面２１ｆ（３１ｆ）と四角柱状部２１ｄ（３１ｄ）との間に、ボール収納空間２３（３３）を形成する。この実施形態では、非円形断面部（非円形断面部）が四角柱状部２１ｄ（３１ｄ）であるので、ボール収納空間２３（３３）は４カ所形成されており、各ボール収納空間２３（３３）にスチールボール２４（３４）が挿入されている。スチールボール２４（３４）は、高精度に加工された硬質の球体であり、ボールベアリングのボールを転用できる。
【００２１】
入力回転軸２１の外方フランジ２１ｂとマウント面１１ａとの間、及び入力回転軸３１のアウタギヤ３１ａと後端マウント面１１ａとの間には、圧縮ばね２５（３５）が挿入されており、この圧縮ばね２５（３５）が第一の軸方向直交面２１ｆ（３１ｆ）と外方フランジ１４ａ（第二の軸方向直交面）が接近するように入力回転軸２１（３１）を軸線方向に移動付勢し、スチールボール２４（３４）を両軸方向直交面に押し付けている。圧縮ばね２５（３５）と外方フランジ２１ｂ（アウタギヤ３１ａ）との間には、摩擦抵抗を減ずるワッシャ２６（３６）とボール２７（３７）が挿入されている。
【００２２】
以上の一方向入出力回転伝達機構２０（３０）は、次のように動作する。動作前に重要な点は、軸方向直交面２１ｆ（３１ｆ）とスチールボール２４（３４）とが圧縮ばね２５（３５）の付勢力によって密着している（軸方向直交面２１ｆ（３１ｆ）と外方フランジ１４ａとの間にスチールボール２４（３４）を挟む）ことである。カメラボディ内の駆動機構から入力回転軸２１に回転が与えられと（フォーカス操作環１９を回転させてインナギヤ１９ｇとアウタギヤ３１ａを介して入力回転軸３１に回転が与えられると）、軸方向直交面２１ｆ（３１ｆ）と摩擦接触しているスチールボール２４（３４）に回転が与えられる。すると、スチールボール２４（３４）は、図４に実線で示す中立位置から軸の回転方向と逆方向に軸方向直交面２１ｆ（３１ｆ）に対し相対的に移動して、ボール収納空間２３（３３）内の内面円筒面２２ｂ（３２ｂ）と四角柱状部２１ｄ（３１ｄ）で形成される楔状の空間内に入り込もうとし、その結果、スチールボール２４（３４）が内面円筒面２２ｂ（３２ｂ）に強く接触して、内面円筒面２２ｂ（３２ｂ）を介して筒状出力ギヤ２２（３２）に回転が伝達される。この作用は、入力回転軸２１（３１）の回転方向によらず、同様に生じるから、入力回転軸２１（３１）の正逆回転はいずれも筒状出力ギヤ２２（３２）に伝達される。
【００２３】
これに対し、筒状出力ギヤ２２（３２）に回転が与えられると、スチールボール２４（３４）の筒状出力ギヤ２２（３２）との接触点は、（接触していたとしても）内面円筒面２２ｂ（３２ｂ）であるから、スチールボール２４（３４）はボール収納空間２３（３３）内で単に回転し、入力回転軸２１（３１）には回転が伝達されない。つまり、入力回転軸２１（３１）が回転するときには、軸方向直交面２１ｆ（３１ｆ）を介してスチールボール２４（３４）に回転が伝達されるため、該スチールボール２４（３４）は内面円筒面２２ｂ（３２ｂ）と四角柱状部２１ｄ（３１ｄ）で形成される楔状の空間内に入り込もうとし、その結果、筒状出力ギヤ２２（３３）に回転が伝達されるのに対し、筒状出力ギヤ２２（３２）が回転するときには、内面円筒面２２ｂ（３２ｂ）を介してスチールボール２４（３４）に回転が伝達されるため、スチールボール２４（３４）が内面円筒面２２ｂ（３２ｂ）と四角柱状部２１ｄ（３１ｄ）で形成される楔状の空間内に入り込もうとする力は生ぜず（あるいは極めて弱く）、従って、入力回転軸２１（３１）には、回転が伝達されない。
【００２４】
以上のＡＦレンズ鏡筒１０の動作を、一方向入出力回転伝達機構２０と３０の作用と合わせて説明すると、次のようになる。カメラボディ内の駆動機構を介して入力回転軸２１に回転が与えられると（パワーフォーカス動作が実行されると）、筒状出力ギヤ２２が共に回転する。筒状出力ギヤ２２のアウタギヤ２２ａは、駆動環１８のインナギヤ１８ｇに噛み合っているので、駆動環１８が回転し、駆動環１８が回転すると、前述のように、フォーカス群移動筒１６（１群枠１７、フォーカスレンズ群Ｌ１）が回転しながら光軸方向に進退してフォーカシングがなされる。このとき、駆動環１８の回転により、インナギヤ１８ｇと噛み合っている一方向入出力回転伝達機構３０の筒状出力ギヤ３２も回転するが、筒状出力ギヤ３２の回転は入力回転軸３１には伝達されない。よって、フォーカス操作環１９は回転しない。このように、パワーフォーカス実行時に、フォーカス操作環１９が回転しないことが本実施形態の大きな特徴の一つである。
【００２５】
次に、マニュアルフォーカスを実行するために、フォーカス操作環１９を正逆に回転操作すると、インナギヤ１９ｇと噛み合っているアウタギヤ３１ａを有する入力回転軸３１が正逆に回転する。上述のように、一方向入出力回転伝達機構３０は入力回転軸３１の回転を筒状出力ギヤ３２に伝達するため、アウタギヤ３２ａとインナギヤ１８ｇの噛み合いで駆動環１８が回転し、駆動環１８が回転すると、前述のように、フォーカス群移動筒１６（１群枠１７、フォーカスレンズ群Ｌ１）が回転しながら光軸方向に進退してフォーカシングがなされる。このとき、駆動環１８の回転により、インナギヤ１８ｇと噛み合っている一方向入出力回転伝達機構２０の筒状出力ギヤ２２も回転するが、筒状出力ギヤ２２の回転は入力回転軸２１には伝達されない。このように、マニュアルフォーカス実行時に、入力回転軸２１が回転しないことが本実施形態のもう一つの大きな特徴である。よって、マニュアルフォーカスを実行するための特別な切替機構や切替操作を一切要することなく、単にフォーカス操作環１９を回転操作するだけで、マニュアルフォーカスを行うことができる。
【００２６】
ボール収納空間２３（３３）（スチールボール２４（３４））の数を変更するには、最も簡単には、入力回転軸２１（３１）の四角柱状部２１ｄ（３１ｄ）の角数を変更すればよい。図６は、入力回転軸２１（３１）の非円形断面部を三角柱状部２１ｄ’　（３１ｄ’）にした実施形態である。また、非円形断面部によって形成するボール収納空間２３（３３）（スチールボール２４（３４））の数は、原理的には（バランスを無視すれば）、一つでもよい。さらに、図示実施形態では、四角柱状部２１ｄ（３１ｄ）の各ボール接触面２１ｇ（３１ｇ）が入力回転軸２１（３１）の半径方向に対して直交しているが、図７に示すように、ボール接触面（非円形断面部）２１ｇ（３１ｇ）が入力回転軸２１（３１）の半径方向に関して対称な少なくとも一対の傾斜面２１ｇ’（３１ｇ’）を備える構成も可能である。このような一対の傾斜ボール接触面２１ｇ’（３１ｇ’）によれば、楔角の設定（変更）を容易に行うことができる。
【００２７】
以上の実施形態では、最も簡単な形で本発明を説明しているため、筒状出力ギヤ２２のアウタギヤ２２ａを駆動環１８のインナギヤ１８ｇに直接噛み合わせ、筒状出力ギヤ３２のアウタギヤ３２ａをフォーカス操作環１９のインナギヤ１９ｇに直接噛み合わせている。しかし、本発明は、アウタギヤ２２ａ（３２ａ）とインナギヤ１８ｇとの間にギヤ列が存在してもよい。同様に、フォーカス操作環１９のインナギヤ１９ｇを入力回転軸３１のアウタギヤ３１ａに直接噛み合わせているが、アウタギヤ３１ａとフォーカス操作環１９（インナギヤ１９ｇ）との間にギヤ列が存在してもよい。
【００２８】
また、以上は、ＡＦレンズ鏡筒１０に本発明を適用した実施形態であるが、パワーマニュアル共用ズームレンズ鏡筒にも本発明は適用することができる。ズームレンズ鏡筒では、駆動環１８の回転によってズーミングが実行されればよく、例えば、駆動環１８または移動筒フォーカス群移動筒１６の回転により、少なくとも２群の変倍レンズ群（焦点距離変更レンズ群）が光軸方向に移動する機構とすればよい。このような機構は多数周知である。
【００２９】
【発明の効果】
本発明によれば、何らの切替機構及び切替操作を要することなく、入力回転軸にパワー駆動の回転力が与えられたときにはマニュアル操作環を回転させることなく光学要素を光軸方向に進退させ、一方マニュアル操作環が回転操作されたときにはその回転を入力回転軸に伝達することなく光学要素を光軸方向に進退させるパワーマニュアル両用レンズ鏡筒を得ることができる。
【図面の簡単な説明】
【図１】本発明によるパワーマニュアル両用レンズ鏡筒の第一の実施形態を示す縦断面図である。
【図２】図１とは異なる断面で示す縦断面図である。
【図３】第一、第二の一方向入出力回転伝達機構部分の展開図である。
【図４】図３のＩＶ‐ＩＶ線に沿う断面図である。
【図５】第一の一方向入出力回転伝達機構の一部を断面として示す分解斜視図である。
【図６】本発明によるパワーマニュアル両用レンズ鏡筒の非円形断面部（非円形断面部）の他の形状例を示す図である。
【図７】同非円形断面部のさらに別の形状例を示す図である。
【符号の説明】
１０　ＡＦレンズ鏡筒
１１　マウント環（固定筒）
１１ａ　マウント面
１１ｂ　１１ｃ　軸受穴
１２　１３　固定ねじ
１４　１５　内側固定筒
１４ａ　外方フランジ（軸方向直交面）
１４ｂ　１４ｃ　軸受穴
１６　フォーカス群移動筒
１７　１群枠
１８　駆動環
１８ｇ　インナギヤ
１９　フォーカス操作環
１９ｇ　インナギヤ
２０　３０　一方向入出力回転伝達機構
２１　入力回転軸（第一）
３１　入力回転軸（第二）
２１ａ　回転伝達溝
２１ｂ　外方フランジ
２１ｃ　３１ｃ　筒状部
２１ｄ　３１ｄ　四角柱状部
２１ｅ　３１ｅ　支持端部
２１ｆ　３１ｆ　軸方向直交面
２１ｇ　３１ｇ　ボール接触面
３１ａ　アウタギヤ
２２　筒状出力ギヤ（第一）
３２　筒状出力ギヤ（第二）
２２ａ　３２ａ　アウタギヤ
２２ｂ　３２ｂ　内面円筒面
２３　３３　ボール収納空間
２４　３４　スチールボール
２５　３５　圧縮ばね
２６　３６　ワッシャ
２７　３７　ボール
【図１】
2004145038.tif 000003
【図２】
2004145038.tif 000004
【図３】
2004145038.tif 000005
【図４】
2004145038.tif 000006
【図５】
2004145038.tif 000007
【図６】
2004145038.tif 000008
【図７】
2004145038.tif 000009